(57)【要約】      （修正有）【課題】簡素化した構造で消費者が便利に組み立てられ、タブレットコンピュータの外殻を保護し、ディスプレイ正面に対する遮蔽を減少すると共に、ハンドルの設計により、人体工学に則しており、使用時のサポートにユーザーの腕を利用でき、携帯と使用に便利な、タブレットコンピュータ用の保護フレームを提供する。【解決手段】ディスプレイ正面と、前記ディスプレイ正面に相反する背面と、前記ディスプレイ正面に隣接する４つの側辺を備えてタブレットコンピュータ用の保護フレームを形成する。さらに、前記保護フレームは、前記背面を支持し、開口エリアが形成された底部と、前記底部から延伸され、且つ少なくとも一部が前記ディスプレイ正面まで湾曲された少なくとも１つの保持部を含むフレーム本体３と、少なくとも１つの補助保持部を備え、前記フレーム本体と共同で前記タブレットコンピュータを囲んで保持する封鎖部材５と、前記フレーム本体３及び／又は前記封鎖部材５に設置されたハンドル１を含む。【選択図】図４
0003179169.tif 000002
【実用新案登録請求の範囲】
【請求項１】
ディスプレイ正面と、前記ディスプレイ正面に相反する背面と、前記ディスプレイ正面に隣接する４つの側辺を備えたタブレットコンピュータ用の保護フレームであって、前記保護フレームが、
前記背面を支持し、開口エリアが形成された底部と、前記底部から延伸されて少なくとも一部が前記ディスプレイ正面まで湾曲された少なくとも１つの保持部を含むフレーム本体と、
少なくとも１つの補助保持部を備え、前記フレーム本体と共同で前記タブレットコンピュータを囲んで保持する封鎖部材と、
前記フレーム本体及び／又は前記封鎖部材に設置されたハンドルと、
を含むことを特徴とする、タブレットコンピュータ用の保護フレーム。
【請求項２】
前記保持部から前記タブレットコンピュータ正面を遮蔽するための保護カバーが延伸されていることを特徴とする、請求項１に記載のタブレットコンピュータ用の保護フレーム。
【請求項３】
さらに前記フレーム本体の底部の開口エリアに設置してこれを封鎖する可撓性パッドを含むことを特徴とする、請求項１に記載のタブレットコンピュータ用の保護フレーム。
【請求項４】
前記フレーム本体及び／又は前記封鎖部材に突出部が形成され、且つ前記ハンドルがさらに前記突出部に回動可能に連結される枢軸を含むことを特徴とする、請求項１に記載のタブレットコンピュータ用の保護フレーム。
【請求項５】
前記ハンドルが前記フレーム本体及び／又は前記封鎖部材より、前記保持部から離れる方向に向かって湾曲され、延伸されていることを特徴とする、請求項１に記載のタブレットコンピュータ用の保護フレーム。 
【考案の詳細な説明】
【技術分野】
【０００１】
本考案はタブレットコンピュータ用の保護フレームに関し、特に、携帯性、ハンドヘルド式のモバイル使用、保護機能の提供を統合した、タブレットコンピュータ用の保護フレームに関する。
【背景技術】
【０００２】
電子技術は日進月歩で、タッチ制御技術の革新、アプリケーションプログラムの開発、ディスプレイモニタの進歩、拡充された超大型メモリから、関連産業の発達が刺激され、携帯型電子製品が盛隆するようになった。タブレットコンピュータはその中でも発展が目覚しく、携帯型タブレットコンピュータは徐々に市場の主役へと躍り出た。これら電子製品の機能性の高まりに伴い、製品価格も上昇している。価値が低くないこれらの製品は、製品の耐用性がユーザーに重視されるようになっている。ユーザーは携帯または使用時に注意が必要となり、同時に電子製品に一層の保護効果を付与するために保護アクセサリを購入することも厭わなくなっている。
【０００３】
現在、携帯型タブレットコンピュータに存在する問題は、摩損の防止、閲覧時の視覚的快適性、携帯及び手に持ったときの利便性と安全性である。携帯型のタブレットコンピュータは外で使用されることが多く、異物に触れやすく、ひっかき傷や磨損を防ぐことが難しい。軽微な衝撃や傷でも外観が損なわれる可能性があるだけでなく、タッチスクリーンに破損が及ぶと、スクリーン操作と使用時の機敏性が低下し、好ましくない影響が生じる可能性がある。且つ、製品の寿命が短縮され、修理のコストが増加することもある。さらに、携帯型のタブレットコンピュータは使用時に両手で持って観賞するか、片手で持ってもう一方の手でスクリーンをタッチして使用するが、現在の電子製品は外側表面が滑りやすく、片手で持ったとき落下を生じやすい。特に、使用時間が長くなると、ユーザーの手が疲れ、汗をかきやすくなり、そこに流線型の外形が加わって、施力点を掌握することが困難になり、労力が必要となるだけでなく、うっかり落下させやすくなるため、相対して携帯及び使用時の不便さが生じ、明らかに本来の携帯性という目的に反することとなる。
【０００４】
残念ながら、従来技術は携帯性と持ちやすさの発展上かなり限られており、多くが外殼から着手し、隔離ケースを提供することで、衝撃が加わったときの本体の破損を防止しているのみである。図１に示すように、タブレットコンピュータの外側に追加して取り付けるＵ字形のフレームがあるが、その設計は上述のタブレットコンピュータの携帯・移動、または外での使用のいずれの点もしっかり考慮または改善がなされていない。
【０００５】
また、従来技術の保護フレームは通常構造が複雑すぎるという問題がある。図２に示す保護フレームは、５つの面から電子製品を被覆し、サイドからディスプレイモニタの正面まで囲んでいるが、被覆構造がディスプレイ正面を占用する区域が大きすぎ、ディスプレイモニタの一部が遮蔽されてしまい、表示の品質が制限されてしまう。さらに、図３に示すように、ユーザーに適切かつ快適な観賞視角を提供するために、この従来技術は支持脚部を採用して支持を提供し、かつ支持脚部を調整することでタブレットコンピュータ全体の高さと角度を調整できるようにしているものもある。しかしながら、支持脚部を設置することでタブレットコンピュータの全体のサイズが大幅に増加してしまい、また支持脚部は尖って突出した部分が多いため、携帯または移動のいずれにおいても突出部分が周囲にぶつかりやすく、ユーザーにとって不便さが増してしまう。
【０００６】
従来技術を振り返ると、１つの傾向に気付くことができる。保護フレームの機能を徐々に増加するだけでなく、全体のサイズと構造も簡潔にし、操作上の利便性を考慮すると共に、人体工学に則した設計とする必要がある。このため、複合的機能を備え、簡潔で、ユーザーの携帯性、移動時の利便性を向上する保護フレームを提供し、市場のニーズを満たす必要がある。
【考案の概要】
【考案が解決しようとする課題】
【０００７】
本考案の第一の目的は、タブレットコンピュータの外殻を安全に保護し、タブレットコンピュータにしっかりと取り付けることができる、保護フレームを提供することにある。
【０００８】
本考案の第二の目的は、構造が簡単で、消費者が手軽に組み立てて使用できる、タブレットコンピュータ用の保護フレームを提供することにある。
【０００９】
本考案の第三の目的は、保持部と底部各側面から共同でしっかりとタブレットコンピュータを挟み込み、タブレットコンピュータのディスプレイ正面の遮蔽を減少した、タブレットコンピュータ用の保護フレームを提供することにある。
【００１０】
本考案の第四の目的は、ユーザーの腕を支えとして利用できる、人体工学に則した設計のタブレットコンピュータ用の保護フレームを提供することにある。
【００１１】
本考案の第五の目的は、携帯使用に便利なタブレットコンピュータ用の保護フレームを提供することにある。
【課題を解決するための手段】
【００１２】
本考案は、ディスプレイ正面と、前記ディスプレイ正面に相反する背面と、前記ディスプレイ正面に隣接する４つの側辺を備えたタブレットコンピュータ用の保護フレームであって、前記保護フレームが、前記背面を支持し、開口エリアが形成された底部と、前記底部から延伸され、且つ少なくとも一部が前記ディスプレイ正面まで湾曲された少なくとも１つの保持部を含むフレーム本体と、少なくとも１つの補助保持部を備え、前記フレーム本体と共同で前記タブレットコンピュータを囲んで保持する封鎖部材と、前記フレーム本体及び／又は前記封鎖部材に設置されたハンドルを含む。
【考案の効果】
【００１３】
本考案の保護フレームの前後はほぼ開口状とすることができ、タブレットコンピュータの四側面のみに保護フレームの枠体が形成される。さらに、ハンドルの使用法は人体工学に則した設計であり、収納、携帯、及び手に持って腕に置いたり、デスク上に置いたりして使用する際に便利である。このような構造で形成された保護フレームは、保護、携帯の利便性、使用角度の自由な調整機能を同時に兼ね備えており、９０度の角度と１８０度の角度のときに係止させるツメが設けられ、置いて観賞するのに便利であるだけでなく、手に持って便利に使用する方式等の複合的機能も同時に提供する。且つ、本案の保持部の平行なツメの設計により、保護フレームの構造が簡単で、しっかりと固定することができる。ユーザーの主要機能に対する要求を一度に満たし、同時にアルミ合金または炭素繊維等の低重量材質を採用することでユーザーの携帯時の負担を軽減することができる。
【図面の簡単な説明】
【００１４】
【図１】従来のタブレットコンピュータハンドルの立体図である。
【図２】従来のタブレットコンピュータ用の保護フレームの立体分解図である。
【図３】従来のタブレットコンピュータ支持フレームの立体図である。
【図４】本考案の立体分解図である。
【図５】本考案のハンドルの構造関係を示す立体図である。
【図６】本考案のフレーム本体の構造を示す立体図である。
【図７】本考案のフレーム本体とハンドルの構造関係を示す立体図である。
【図８】本考案の封鎖部材の構造関係を示す立体図である。
【図９】本考案の保護フレームの使用状態を示す立体図である。
【図１０】本考案の保護フレームの使用状態を示す立体図である。
【図１１】本考案の保護フレームを手に握った状態を示す立体図である。
【図１２】本考案の保護フレームの保護カバーを示す立体図である。
【図１３】本考案の保護フレームの可撓性パッドを示す立体図である。
【図１４】本考案の実施例３のハンドルを示す立体図である。
【図１５】本考案の実施例３の別の応用のハンドルを示す立体図である。
【図１６】本考案の実施例４のハンドルの応用を示す立体図である。
【考案を実施するための形態】
【実施例１】
【００１５】
本考案のタブレットコンピュータ用の保護フレームの分解図を図４に示す。本実施例において、保護フレームは主に、図の上方に示されたハンドル１と、中間位置に示されたフレーム本体３と、図の下方に示された封鎖部材５の３つの部材を含む。
【００１６】
以下、タブレットコンピュータと保護フレームの結合過程と、上から下に３つの主要部材に含まれる内容と連結関係を逐一説明する。図５、図６、図７に示すように、まず本実施例におけるハンドル１は、手で握ることができるグリップ部１３と、フレーム本体３に枢着され、連結される枢軸１１、１２を含む。フレーム本体３は、図６と図７に示すように、主に金属材質の底部３１と、底部３１の前縁から延伸されて前方に向かって湾曲された保持部３２を含む。本実施例において、図の右側部分の保持部３２は底部３１に沿って完全に延伸された長いストリップ状の構造であり、図の上方部分の保持部３２は、底部３１の左右両端箇所からのみ上に向かってそれぞれ延伸され、且つ左右両側の保持部３２が向かい合う部分に、底部３１から上方に向かって２つの突出部３２１、３２２が延伸される。各突出部３２１、３２２中には通孔３２１０、３２２０がそれぞれ形成され、通孔３２１０と３２２０は相互に共軸であり、上述のハンドル１の枢軸１１、１２が連結される。これによりフレーム本体３とハンドル１の連結機能が達成される。
【００１７】
全体構造の最下方が図８に示す封鎖部材５であり、主に補助保持部５２、封鎖部材５の殼体上に形成されたネジ孔５３、ネジ５４を含む。併せて図９、図１０を参照する。タブレットコンピュータの側辺をフレーム本体３の保持部３２と底部３１間に嵌入させると、タブレットコンピュータは水平移動のみ可能となり、すでに正面から保護フレーム本体を離脱することはできず、後でユーザーが封鎖部材５をフレーム本体３の下方から結合すると、補助保持部５２、保持部３２、底部３１が共同で１つの封鎖された枠体を形成し、タブレットコンピュータを挟み込んで保持する。ネジ５４をフレーム本体３の穿孔に穿通させてネジ孔５３に螺合すると、上述の接合が完了する。
【００１８】
ハンドルは突出部を介してフレーム本体及び封鎖部材と一体として結合され、これにより携帯装置が提供され、手提げ式の携帯、使用角度の調整及び係止に便利である。且つ、突出部と枢軸の相対的な回動により、ユーザーの好みに合わせてハンドルの角度を調整し、係止させることができ、保護フレームに追加機能を提供する。図１１に示すように、ユーザーはハンドル１を逆に握り、前記保護フレームを盾のように腕の外側に置いて、タブレットコンピュータのディスプレイ面をユーザーに向け、タブレットコンピュータを大型の腕時計のように前腕部の上方に配置し、ユーザーは腕時計を見る角度で観賞することができる。このように、ハンドル１が一方で安定機能を提供し、ユーザーが自身の腕を利用してタブレットコンピュータを支え、固定の効果を達することができる。さらに、ハンドル１の調整可能機能により、環境の制限に合わせ、ユーザーに腕と肘が快適な握り位置を提供し、ユーザーが自ら環境に応じて快適に腕と肘を配置することができる。
【００１９】
反対に、タブレットコンピュータを携帯して移動するとき、ユーザーは保護フレームに対して追加の操作をする必要がなく、腕を下ろせば、タブレットコンピュータと保護フレーム本体が自動的に枢軸と突出部の軸方向に回動され、タブレットコンピュータのディスプレイ面をユーザーの大腿部の方向に垂下させ、良好な手提げ機能を提供すると同時に、タブレットコンピュータの破損しやすいディスプレイ正面に比較的良好な保障を自然に提供することができる。
【実施例２】
【００２０】
タブレットコンピュータのディスプレイ面をより一層保護したい場合、図１２、図１３に示すように、本案の実施例２は、フレーム本体３の保持部３２と封鎖部材５の補助保持部５２間に、１本の軸棒３２４を設け、前記軸棒３２４上に保護カバー３２３を設置してもよい。使用しないときは、保護カバー３２３がタブレットコンピュータのスクリーン上を覆い、衝撃が加わったり、摩擦で傷や破損が生じたりしないよう防止する。使用時は、保護カバー３２３を容易に開き、ディスプレイ正面を露出させる。
【００２１】
別の最良の実施例はフレーム本体３の底部３１を開口状の枠体とし、開口エリアを形成する。このような設計によりフレーム本体３に使用する材料を減少でき、コストを削減すると同時に重量も大幅に減少できる。底部の開口エリアがタブレットコンピュータの背部に傷を発生させると不安に感じる場合は、フレーム本体３のタブレットコンピュータディスプレイ面に相対する背面に可撓性パッド３４を追加設置してもよい。可撓性パッド３４をフレーム本体３の底部３１に設置し、タブレットコンピュータの背部を衝撃や摩擦による傷、破損から保護することができる。
【実施例３】
【００２２】
また、別の実施例では図１４、図１５に示すように、ハンドルを備えたフレーム本体を提供する。この固定式ハンドル２は、前記フレーム本体３及び／又は前記封鎖部材から平行に外に向けて、底部に対して垂直の方向に湾曲されて延伸される。固定式ハンドル２とフレーム本体３は一体成形され、予め設計済みの角度を採用し、ユーザーがこの実用新案を握って使用するときに邪魔にならないようにする。この実施例は本案の良好な簡易型設計であり、図７に示す突出部３２１、３２２と枢軸１１の２つの部材の加工コストを一挙に省くことができる。
【実施例４】
【００２３】
さらに別の実施例を図１６に示す。ハンドル１は封鎖部材５上に設置してもよい。この実施例は封鎖部材５上に設けられた突出部５１に、ハンドル１が連結される。この設計は両側を握ることができるタブレットコンピュータ用の保護フレームを提供し、ユーザーが使用時に両手で握ることができる。これは本案の提供するもう１つのユーザーにとって便利な設計である。当然、封鎖部材５上のみに設置してもよく、つまり、逆に握って携帯できるようにすることも、本案から想到できる応用範囲に属する。当然ながら、当業者であれば容易に想到できるように、ハンドルにラチェット状の表面の接合歯車を設置し、突出部にラチェット状の溝部を設けてもよく、両者の接合をハンドルの片側への移動に用いることができる。
【００２４】
以上の説明は、本考案の最良の実施例に基づくものであり、これを以って本考案の実施の範囲を限定することはできず、本考案の請求の範囲と明細書の内容に基づいた同等効果の変化や修飾はいずれも本考案の請求の範囲内に属するものとみなす。
【符号の説明】
【００２５】
１        ハンドル
１１、１２    枢軸
１３      グリップ部
２        固定式ハンドル
３        フレーム本体
３１      底部
３２      保持部
３４      可撓性パッド
５１、３２１、３２２    突出部
３２３    保護カバー
３２４    軸棒
５        封鎖部材
５２      補助保持部
５３      ネジ孔
５４      ネジ
３２１０、３２２０    通孔
【図１】
0003179169.tif 000003
【図２】
0003179169.tif 000004
【図３】
0003179169.tif 000005
【図４】
0003179169.tif 000006
【図５】
0003179169.tif 000007
【図６】
0003179169.tif 000008
【図７】
0003179169.tif 000009
【図８】
0003179169.tif 000010
【図９】
0003179169.tif 000011
【図１０】
0003179169.tif 000012
【図１１】
0003179169.tif 000013
【図１２】
0003179169.tif 000014
【図１３】
0003179169.tif 000015
【図１４】
0003179169.tif 000016
【図１５】
0003179169.tif 000017
【図１６】
0003179169.tif 000018